(57)【特許請求の範囲】
【請求項１】
１又は複数種類の機能の処理を実行可能な情報処理装置と通信して、前記情報処理装置の各機能に係る動作状態を確認する動作状態確認手段と、
前記情報処理装置に対して機能実行を指示するための機能実行情報の入力受付けを行うものであって、前記情報処理装置の動作状態により即時に実行できない機能の処理については予約実行を指示するための機能実行情報の入力を受付けることができる入力受付手段と、
前記入力受付手段が受付けた機能実行情報に従った機能の処理実行を前記情報処理装置に指示する指示手段とを有し、
前記入力受付手段は、前記情報処理装置の各機能に対応する機能ボタンが配置された機能操作画面を表示出力し、前記機能操作画面で押下された機能ボタンに係る機能実行情報の入力受付を行い、
前記入力受付手段は、予約実行を受付け可能とする動作モード又は、予約実行を受付け不可とする動作モードのいずれかを切替えて動作することが可能であり、予約実行を受付け不可とする動作モードで動作する場合、前記機能操作画面上で、前記動作状態確認手段により使用不可と確認された機能の機能ボタンについて表示状態を変更し操作不可とする
ことを特徴とする端末装置。
【請求項２】
前記指示手段は、前記入力受付手段が受付けた機能実行情報に従った機能が前記情報処理装置の動作状態により即時に実行できない場合、当該機能について使用可能である旨が前記情報処理装置から通知された後、前記情報処理装置に当該機能の実行を指示することを特徴とする請求項１に記載の端末装置。
【請求項３】
前記入力受付手段が入力を受付けた機能実行情報を保持する機能実行情報保持部と、
前記情報処理装置に近づくと、前記情報処理装置との通信を開始する近距離データ通信部とをさらに備え、
前記指示手段は、前記入力受付手段が受付けた機能実行情報に従った機能が前記情報処理装置の動作状態により即時に実行できない場合、当該機能について使用可能である旨が前記情報処理装置から通知された後、前記近距離データ通信部が前記情報処理装置に近づけられて前記情報処理装置との通信を開始すると、前記機能実行情報保持部が保持している機能実行情報に従った機能の処理実行を前記情報処理装置に指示する
ことを特徴とする請求項１又は２に記載の端末装置。
【請求項４】
前記動作状態確認手段は、前記情報処理装置と通信して、前記情報処理装置で使用中の機能の情報を取得し、
前記入力受付手段は、前記機能操作画面に、前記動作状態確認手段が取得した前記情報処理装置で使用中の機能の情報を配置する
ことを特徴とする請求項１に記載の端末装置。
【請求項５】
前記情報処理装置と通信して、前記情報処理装置で操作を受け付けるための操作画面を表示するための表示装置で表示した画像の画像データを取得する画像データ取得手段をさらに備え、
前記入力受付手段は、前記機能操作画面に、前記画像データ取得手段が取得した前記画像データの画像を配置する
ことを特徴とする請求項１又は４に記載の端末装置。
【請求項６】
端末装置に搭載されたコンピュータを、
１又は複数種類の機能の処理を実行可能な情報処理装置と通信して、前記情報処理装置の動作状態を確認する動作状態確認手段と、
前記情報処理装置に対して機能実行を指示するための機能実行情報の入力受けを行うものであって、前記情報処理装置の動作状態により即時に実行できない機能の処理については予約実行を指示するための機能実行情報の入力を受付けることができる入力受付手段と、
前記入力受付手段が受付けた機能実行情報に従った機能の処理実行を前記情報処理装置に指示する指示手段として機能させ、
前記入力受付手段は、前記情報処理装置の各機能に対応する機能ボタンが配置された機能操作画面を表示出力し、前記機能操作画面で押下された機能ボタンに係る機能実行情報の入力受付を行い、
前記入力受付手段は、予約実行を受付け可能とする動作モード又は、予約実行を受付け不可とする動作モードのいずれかを切替えて動作することが可能であり、予約実行を受付け不可とする動作モードで動作する場合、前記機能操作画面上で、前記動作状態確認手段により使用不可と確認された機能の機能ボタンについて表示状態を変更し操作不可とする
ことを特徴とする情報処理プログラム。
【請求項７】
１又は複数種類の機能の処理を実行可能な情報処理装置において、
当該情報処理装置に係る各機能の動作状態を確認する動作状態確認手段と、
外部の端末装置から当該情報処理装置が対応するいずれかの機能の実行を指示する機能実行情報を受信して取得する機能実行情報取得手段と、
前記機能実行情報取得手段が取得した機能実行情報に係る機能が即時に実行可能であるか否かを確認し、当該機能が即時に実行可能であれば当該機能を即時に実行する制御を行い、当該機能が即時に実行不可であれば当該機能が実行可能となった後に当該機能を実行する制御を行う制御手段とを有し、
前記端末装置が近づけられると、前記端末装置との通信を開始する近距離データ通信部をさらに備え、
前記制御手段は、前記機能実行情報取得手段が取得した機能実行情報に係る機能が前記動作状態確認手段により即時に実行不可と確認された場合、当該機能が実行可能となった後、当該機能が実行可能となったことを前記端末装置に通知し、その後、前記近距離データ通信部で前記端末装置が近づけられたことが検知されると、前記端末装置から供給される機能実行情報に従った機能実行の制御を行う
を有することを特徴とする情報処理装置。
【請求項８】
前記制御手段は、前記機能実行情報取得手段が取得した機能実行情報に係る機能が即時に実行不可の場合、当該機能が実行可能となった後、当該機能が実行可能となったことを前記端末装置に通知し、前記端末装置から当該機能の実行指示が通知されると当該機能の実行の制御を行うことを特徴とする請求項７に記載の情報処理装置。
【請求項９】
前記動作状態確認手段は、前記端末装置に、当該情報処理装置で使用中の機能の情報を送信することを特徴とする請求項７又は８に記載の情報処理装置。
【請求項１０】
操作を受け付けるための操作画面を表示するための表示装置と、
前記表示装置で表示している操作画面の画像の画像データを保持する画像データ保持手段と、
前記端末装置に、前記画像データ保持手段が保持した画像データを送信する画像データ送信手段と
をさらに備えることを特徴とする請求項７〜９のいずれかに記載の情報処理装置。
【請求項１１】
前記画像データ保持手段は、前記表示装置で、セキュリティに関するセキュリティ情報が表示されている場合には、当該セキュリティ情報を隠蔽処理した画像の画像データを保持することを特徴とする請求項１０に記載の情報処理装置。
【発明の詳細な説明】
【技術分野】
【０００１】
この発明は、端末装置及び情報処理プログラム、並びに情報処理装置に関し、例えば、通信により接続する外部の情報処理装置（例えば、携帯電話端末やスマートホン等）からの操作も受付可能な画像形成装置（例えば、複合機等）に適用し得る。
【背景技術】
【０００２】
従来の複合機等の情報処理装置では、装置本体の操作部以外にも、携帯電話端末やスマートホン等の端末装置からの操作に対応するものが存在する。従来、外部の端末装置からの操作に対応する情報処理装置として特許文献１に記載された画像形成装置がある。
【０００３】
特許文献１に記載された画像形成装置は、装置本体の操作部と携帯型端末からそれぞれ操作設定要求を受け付けた場合に、受け付けた複数の操作設定要求から画像形成装置で実行するジョブが競合するかを判断する。そして、特許文献１に記載された画像形成装置は、操作部を操作したユーザと携帯型端末を操作したユーザが同一ユーザか否かを判断する。そして、特許文献１に記載された画像形成装置は、ユーザ識別結果とジョブ内容の判断結果から、受け付けた操作設定の要求を許可するか否かを判断し、許可された操作設定のみを受け付ける。
【先行技術文献】
【特許文献】
【０００４】
【特許文献１】特開２０１４−１１６１９号公報
【発明の概要】
【発明が解決しようとする課題】
【０００５】
しかしながら、従来、外部の端末装置からの操作にも対応する情報処理装置では、使用者が実行を希望する機能が実行できない状態から、当該機能が実行可能な状態に遷移した際に、当該使用者に簡便な操作で当該機能の提供ができないという問題があった。
【０００６】
そのため、情報処理装置（例えば、画像形成装置）の操作を外部の端末装置を用いて受付ける際に、端末装置のユーザの利便性を向上させる端末装置及び情報処理プログラム、並びに情報処理装置が望まれている。
【課題を解決するための手段】
【０００７】
第１の本発明の端末装置は、（１）１又は複数種類の機能の処理を実行可能な情報処理装置と通信して、前記情報処理装置の各機能に係る動作状態を確認する動作状態確認手段と、（２）前記情報処理装置に対して機能実行を指示するための機能実行情報の入力受けを行うものであって、前記情報処理装置の動作状態により即時に実行できない機能の処理については予約実行を指示するための機能実行情報の入力を受付けることができる入力受付手段と、（３）前記入力受付手段が受付けた機能実行情報に従った機能の処理実行を前記情報処理装置に指示する指示手段とを有し、（４）前記入力受付手段は、前記情報処理装置の各機能に対応する機能ボタンが配置された機能操作画面を表示出力し、前記機能操作画面で押下された機能ボタンに係る機能実行情報の入力受付を行い、（５）前記入力受付手段は、予約実行を受付け可能とする動作モード又は、予約実行を受付け不可とする動作モードのいずれかを切替えて動作することが可能であり、予約実行を受付け不可とする動作モードで動作する場合、前記機能操作画面上で、前記動作状態確認手段により使用不可と確認された機能の機能ボタンについて表示状態を変更し操作不可とすることを特徴とする。
【０００８】
第２の本発明の情報処理プログラムは、端末装置に搭載されたコンピュータを、（１）１又は複数種類の機能の処理を実行可能な情報処理装置と通信して、前記情報処理装置の動作状態を確認する動作状態確認手段と、（２）前記情報処理装置に対して機能実行を指示するための機能実行情報の入力受けを行うものであって、前記情報処理装置の動作状態により即時に実行できない機能の処理については予約実行を指示するための機能実行情報の入力を受付けることができる入力受付手段と、（３）前記入力受付手段が受付けた機能実行情報に従った機能の処理実行を前記情報処理装置に指示する指示手段として機能させ、（４）前記入力受付手段は、前記情報処理装置の各機能に対応する機能ボタンが配置された機能操作画面を表示出力し、前記機能操作画面で押下された機能ボタンに係る機能実行情報の入力受付を行い、（５）前記入力受付手段は、予約実行を受付け可能とする動作モード又は、予約実行を受付け不可とする動作モードのいずれかを切替えて動作することが可能であり、予約実行を受付け不可とする動作モードで動作する場合、前記機能操作画面上で、前記動作状態確認手段により使用不可と確認された機能の機能ボタンについて表示状態を変更し操作不可とすることを特徴とする。
【０００９】
第３の本発明は、１又は複数種類の機能の処理を実行可能な情報処理装置において、（１）当該情報処理装置に係る各機能の動作状態を確認する動作状態確認手段と、（２）外部の端末装置から当該情報処理装置が対応するいずれかの機能の実行を指示する機能実行情報を受信して取得する機能実行情報取得手段と、（３）前記機能実行情報取得手段が取得した機能実行情報に係る機能が即時に実行可能であるか否かを確認し、当該機能が即時に実行可能であれば当該機能を即時に実行する制御を行い、当該機能が即時に実行不可であれば当該機能が実行可能となった後に当該機能を実行する制御を行う制御手段とを有し、（４）前記端末装置が近づけられると、前記端末装置との通信を開始する近距離データ通信部をさらに備え、（５）前記制御手段は、前記機能実行情報取得手段が取得した機能実行情報に係る機能が前記動作状態確認手段により即時に実行不可と確認された場合、当該機能が実行可能となった後、当該機能が実行可能となったことを前記端末装置に通知し、その後、前記近距離データ通信部で前記端末装置が近づけられたことが検知されると、前記端末装置から供給される機能実行情報に従った機能実行の制御を行うことを特徴とする。
【発明の効果】
【００１０】
本発明によれば、情報処理装置の操作を外部の端末装置を用いて受付ける際に、端末装置のユーザの利便性を向上させることができる。
【図面の簡単な説明】
【００１１】
【図１】第１の実施形態に係る画像形成装置及び携帯端末装置の接続構成及び機能的構成について示したブロック図である。
【図２】第１の実施形態に係る携帯端末装置を構成する処理制御部の内部構成について示したブロック図である。
【図３】第１の実施形態に係る画像形成装置及び携帯端末装置の動作について示したフローチャートである。
【図４】第１の実施形態に係る携帯端末装置で表示される機能操作画面の構成例について示した説明図である。
【図５】第１の実施形態に係る携帯端末装置で表示される予約実行確認画面の構成例について示した説明図である。
【図６】第２の実施形態に係る画像形成装置及び携帯端末装置の接続構成及び機能的構成について示したブロック図である。
【図７】第２の実施形態に係る携帯端末装置を構成する処理制御部の内部構成について示したブロック図である。
【図８】第２の実施形態に係る画像形成装置及び携帯端末装置の動作について示したフローチャートである。
【図９】第３の実施形態に係る画像形成装置及び携帯端末装置の接続構成及び機能的構成について示したブロック図である。
【図１０】第３の実施形態に係る携帯端末装置で表示される機能操作画面の構成例（その１）について示した説明図である。
【図１１】第３の実施形態に係る画像形成装置で表示される操作画面の構成例（その１）について示した説明図である。
【図１２】第３の実施形態に係る画像形成装置で表示される操作画面の構成例（その２）について示した説明図である。
【図１３】第３の実施形態に係る携帯端末装置で表示される機能操作画面の構成例（その２）について示した説明図である。
【図１４】第３の実施形態に係る画像形成装置及び携帯端末装置の動作について示したフローチャートである。
【発明を実施するための形態】
【００１２】
（Ａ）第１の実施形態
以下、本発明による端末装置及び情報処理プログラム、並びに情報処理装置の第１の実施形態を、図面を参照しながら詳述する。以下では、本発明の端末装置を携帯端末装置に適用し、本発明の情報処理装置を画像形成装置に適用した例について説明する。
【００１３】
（Ａ−１）第１の実施形態の構成
図１は、第１の実施形態に関係する装置（情報処理装置及び画像形成装置）の接続構成及び内部構成について示したブロック図である。
【００１４】
この実施形態では、画像形成装置１００と携帯端末装置２００とは、通信回線５００を介して接続されているものとする。なお、通信回線５００の具体的な媒体や仕様は限定されないものであり、種々のネットワーク構成を適用することができる。ここでは、携帯端末装置２００と画像形成装置１００との間は、例えば、無線ＬＡＮやＢｌｕｅｔｏｏｔｈ（登録商標）等の無線通信インタフェースを適用することができる。
【００１５】
次に、画像形成装置１００の内部構成について説明する。
【００１６】
画像形成装置１００は、画像形成処理部１０１、操作部１０２、処理制御部１０３、操作表示部１０５、データ送受信部１０７、スキャナ部１０８、及びＦＡＸ部１０９を有している。
【００１７】
処理制御部１０３は画像形成装置１００全体（画像形成処理部１０１、操作部１０２、操作表示部１０５、データ送受信部１０７、スキャナ部１０８、及びＦＡＸ部１０９を含む構成要素）の制御機能を担っている。
【００１８】
データ送受信部１０７は、通信回線５００と接続するためのネットワークインタフェースの機能を担っている。データ送受信部１０７は、種々のネットワークインタフェースを適用することができる。
【００１９】
画像形成処理部１０１は、供給された印刷データに基づいた画像を媒体に印刷（画像形成処理）する印刷機能（画像形成機能）を担っている。画像形成処理部１０１は、処理制御部１０３の制御に従って印刷処理を行う。
【００２０】
スキャナ部１０８は、原稿を読み取り、読み取った画像データを生成する機能を担って
いる。
【００２１】
ＦＡＸ部１０９は、供給された画像データに基づくＦＡＸ信号を宛先に送信（例えば、公衆電話回線等を介して送信）する処理や、ＦＡＸ信号を送信元から受信（例えば、公衆電話回線を介して受信）する処理等を行う。
【００２２】
操作表示部１０５は、ユーザからの操作受付やユーザへの情報出力（例えば、自装置の使用状態等）を行う機能を担っている。言い換えると、操作表示部１０５は、画像形成装置１００におけるユーザインタフェースの機能を担っている。操作表示部１０５を構成するデバイスは限定されないものであるが、例えば、タッチパネルディスプレイに操作画面（ＧＵＩ画面）を表示してユーザへの情報出力及びユーザからの入力操作（例えば、ソフトウェアキーの押下等による操作）を受け付けるようにしてもよい。また、操作表示部１０５は、上述のタッチパネルディスプレイの他に、１または複数のハードウェアキーを備えるようにしてもよい。
【００２３】
次に、画像形成装置１００が対応する各機能について説明する。
【００２４】
この実施形態では、ユーザの操作に応じて、処理制御部１０３が、各構成要素を制御することで、原稿を読み取った画像を用紙に印刷する機能（以下、「コピー機能」と呼ぶ）と、原稿を読み取った画像データを生成する機能（以下、「スキャナ機能」と呼ぶ）と、外部装置等から供給された印刷データに基づいて用紙に印刷する機能（以下、「プリント機能」と呼ぶ）と、ＦＡＸ送受信の機能（以下、「ＦＡＸ機能」と呼ぶ）に対応しているものとする。
【００２５】
画像形成装置１００では、処理制御部１０３が、スキャナ部１０８及び画像形成処理部１０１等を制御することにより、コピー機能が実現されている。処理制御部１０３は、ユーザの操作によりコピー機能の実行指示を受け付けると、スキャナ部１０８に原稿を読み取らせて、原稿を読み取った画像データを取得し、画像形成処理部１０１に取得した画像データに基づく画像を印刷（用紙に印刷）させる。
【００２６】
また、画像形成装置１００では、処理制御部１０３が、スキャナ部１０８等を制御することによりスキャナ機能が実現されている。処理制御部１０３は、ユーザの操作によりスキャナ機能の実行指示を受け付けると、スキャナ部１０８に原稿を読み取らせ、読み取った画像データを所定の方法で出力する。このとき、処理制御部１０３が取得した画像データを出力する方式については限定されないものであり、例えば、図示しない外部のファイルサーバ等の装置に送信（通信により送信）して記録させるようにしてもよいし、図示しないデータ記録媒体（例えば、ＵＳＢメモリやメモリカード等）に記録するようにしてもよい。
【００２７】
さらに、画像形成装置１００では、処理制御部１０３が、画像形成処理部１０１等を制御することにより、プリント機能が実現されている。処理制御部１０３は、例えば、データ送受信部１０７により外部から印刷データ（印刷ジョブのデータ）を受信してプリント機能を実行する際、画像形成処理部１０１を制御して、印刷データに基づく画像を印刷（用紙に印刷）させる。
【００２８】
さらにまた、画像形成装置１００では、処理制御部１０３が、スキャナ部１０８、ＦＡＸ部１０９及び画像形成処理部１０１等を制御することにより、ＦＡＸ機能が実現されている。処理制御部１０３は、例えば、ＦＡＸ部１０９がＦＡＸ受信（ＦＡＸ信号を受信）した場合、画像形成処理部１０１を制御して、受信したＦＡＸ信号に基づく画像を印刷（用紙に印刷）させる。また、処理制御部１０３は、ユーザの操作によりＦＡＸ送信を受け付けると、スキャナ部１０８に原稿を読み取らせて、原稿を読み取った画像データを取得し、ＦＡＸ部１０９に取得した画像データに基づく画像をＦＡＸ送信（指示された宛先へＦＡＸ送信）させる。
【００２９】
この実施形態において、画像形成装置１００は、上述の４つの機能（スキャン機能、コピー機能、プリント機能、及びＦＡＸ機能）に対応しているものとして説明するが、画像形成装置１００の対応する機能の種類や数は限定されないものである。すなわち、画像形成装置１００は、上述の機能のうち一部のみを備えるようにしてもよいし、さらにその他の機能に対応するようにしてもよい。
【００３０】
そして、この実施形態の画像形成装置１００は、自装置に搭載された操作表示部１０５からだけでなく、外部装置（例えば、携帯端末装置２００）からも操作受付（例えば、各機能実行の操作受付）が可能であるものとする。すなわち、処理制御部１０３は、通信回線５００を介して携帯端末装置２００と通信し、各機能実行の操作を受付可能であるものとする。また、処理制御部１０３は、操作表示部１０５を用いて、ユーザから各機能実行の操作受付が可能であるものとする。
【００３１】
次に、携帯端末装置２００の内部構成の例について説明する。
【００３２】
この実施形態において、携帯端末装置２００は、データ送受信部２０１、処理制御部２０３、及び操作表示部２０５を有している。
【００３３】
処理制御部２０３は携帯端末装置２００全体（データ送受信部２０１及び操作表示部２０５を含む構成要素）の制御機能を担っている。
【００３４】
操作表示部２０５は、ユーザからの操作受付やユーザへの情報出力を行う機能を担っている。言い換えると、操作表示部２０５は、携帯端末装置２００におけるユーザインタフェースの機能を担っている。操作表示部２０５を構成するデバイスは限定されないものであるが、例えば、タッチパネルディスプレイに操作画面（ＧＵＩ画面）を表示してユーザへの情報出力及びユーザからの入力操作（例えば、ソフトウェアキーの押下等による操作）を受け付けるようにしてもよい。また、操作表示部２０５は、上述のタッチパネルディスプレイの他に、１または複数のハードウェアキーを備えるようにしてもよい。
【００３５】
データ送受信部２０１は、通信回線５００と接続するためのネットワークインタフェースの機能を担っている。データ送受信部２０１には、種々のネットワークインタフェースを適用することができる。
【００３６】
携帯端末装置２００の処理制御部２０３は、ユーザの操作に応じて、画像形成装置１００に機能実行を指示する。処理制御部２０３は、例えば、携帯端末装置２００（処理制御部２０３）上で動作するアプリケーションの形態で実現するようにしてもよい。すなわち、携帯端末装置２００は、スマートホンや携帯電話端末等の端末装置に搭載されたコンピュータに、プログラム（実施形態に係る情報処理プログラムを含む）をインストールすることにより実現するようにしてもよい。
【００３７】
処理制御部２０３は、操作表示部２０５に画像形成装置１００の各機能に関する操作するための操作画面（以下、「機能操作画面」と呼ぶ）を表示する処理を行う。
【００３８】
そして、処理制御部２０３は、機能操作画面で、各機能（画像形成装置１００が対応する各機能）の実行、及び各機能を実行する際の各設定値の情報を含む情報（以下、「機能実行情報」とも呼ぶ）を受付け、受付けた内容を画像形成装置１００に送信する。また、処理制御部２０３は、画像形成装置１００の現在の状態を取得し、取得した情報に基づく内容を機能操作画面に反映させる処理も行う。
【００３９】
また、処理制御部２０３は、画像形成装置１００の使用状態により、即時実行を開始できない機能がある場合、当該機能の実行を予約する機能（以下、「予約実行」と呼ぶ）にも対応しているものとする。処理制御部２０３は、画像形成装置１００の使用状態（例えば、他のユーザの機能実行による使用状態や、ＦＡＸ受信等による使用状態）により、画像形成装置１００でユーザが実行を所望する機能が実行できない場合、ユーザから当該機能の実行指示の操作（各種設定値の変更操作を含む）を受付け、画像形成装置１００の使用状態が変化して当該機能の実行が可能となった後に、事前に予約実行を受け付けた機能の実行を、画像形成装置１００に指示する。
【００４０】
なお、この実施形態では、処理制御部２０３は、予約実行機能を可能（有効）とするか不可（無効）とするかの設定値を保持するための予約実行設定保持部３０１を有している。予約実行設定保持部３０１は、予約実行機能を可能（有効）とする旨の値（例えば、「１」）、または予約実行機能を不可（無効）とする旨の値（例えば、「０」）のいずれかで示されるフラグ情報を保持するものとして説明する。なお、予約実行設定保持部３０１が保持するデータ形式は限定されないものである。処理制御部２０３は、予約実行設定保持部３０１に保持されている設定値が予約実行機能を可能とする旨の値であった場合のみユーザから予約実行を受付け可能とする。
【００４１】
図４は、携帯端末装置２００の操作表示部２０５に表示される機能操作画面の例について示した説明図である。
【００４２】
図４に示すように、機能操作画面は、コピー機能に対応する機能ボタンＢ１０１、スキャン機能に対応する機能ボタンＢ１０２、プリント機能に対応する機能ボタンＢ１０３、ＦＡＸ機能に対応する機能ボタンＢ１０４、及び予約実行の可能／不可（有効／無効）の切替を受け付けるための切替ボタンＢ１００が配置されている。
【００４３】
処理制御部２０３は、切替ボタンＢ１００が押下されると、予約実行設定保持部３０１の設定値を変更させる。また、切替ボタンＢ１００には、現在の予約実行の設定内容（可能（ＯＮ）又は不可（ＯＦＦ））が表示されている。機能操作画面では、切替ボタンＢ１００が押下されると、予約実行の設定内容が可能（ＯＮ）又は不可（ＯＦＦ）に切り替わる。また、機能操作画面で切替ボタンＢ１００が押下されると、処理制御部２０３は、予約実行設定保持部３０１の設定値も切替後の値に変更する。
【００４４】
機能操作画面では、各機能に対応する機能ボタンＢ１０１〜Ｂ１０４のいずれかが押下されると、処理制御部２０３は、押下された機能に対応する機能実行情報（設定内容）の入力を受付ける（例えば、図示しない入力画面等を表示して入力を受付ける）。各機能に対応する機能実行情報の入力が可能となっている。例えば、機能操作画面でスキャン機能に対応する機能ボタンＢ１０２が押下されると、処理制御部２０３は、機能実行情報として、スキャン機能に係る各設定値（例えば、読取解像度、片面読取／両面読取の設定、カラー／モノクロの設定等）を受付ける。各機能に対応する機能実行情報については、種々の複合機と同様の項目を適用することができるため詳しい入力画面の構成については説明を省略する。
【００４５】
機能操作画面では、予約実行が不可（ＯＦＦ）な状態（モード）で動作する場合、画像形成装置１００で使用可能な機能に対応する機能ボタンについては、白色の背景に黒色で機能名の文字が表示されて操作（押下）可能な状態（以下、「操作可能状態」とも呼ぶ）となり、画像形成装置１００で使用不可な機能に対応する機能ボタンについては、黒色の背景に白色で機能名の文字が表示されて操作（押下）不可な状態（以下、「操作不可状態」とも呼ぶ）となるものとする。そして、予約実行が不可（ＯＦＦ）な状態の機能操作画面では、使用不可の機能に係る機能ボタンについては操作不可状態となる。なお、各機能ボタンの操作可能状態の表示内容と、操作不可状態の表示パターンは、図４の例に限定されず種々の表示パターンを適用することができる。
【００４６】
予約実行が可能（ＯＮ）な状態の機能操作画面では、全ての機能が使用可能な場合、図４（ｃ）に示すように、全ての機能ボタンＢ１０１〜Ｂ１０４が操作可能状態となる。また、予約実行が可能（ＯＮ）な状態の機能操作画面では、コピー機能が実行中（使用中）の場合（例えば、他の携帯端末装置２００や、操作表示部１０５からの操作入力により使用中の場合）、スキャナ部１０８を使用するコピー、スキャナ、ＦＡＸの機能は使用できないが、図４（ｃ）のようにそれらの機能に対応する機能ボタンＢ１０１、Ｂ１０２、Ｂ１０４が操作可能状態となる。
【００４７】
以上のように、第１の実施形態では、画像形成装置１００の処理制御部１０３により、画像形成装置１００の各機能の使用状態（動作状態）を確認する動作状態確認手段が実現されている。また、第１の実施形態では、処理制御部１０３等により携帯端末装置２００から機能実行要求（機能実行情報）を取得する機能実行情報取得手段が実現されている。さらに、第１の実施形態では、処理制御部１０３等により、各機能の実行制御を行う制御手段が実現されている。さらにまた、第１の実施形態では、携帯端末装置２００の処理制御部２０３により、画像形成装置１００の使用状態（動作状態）を確認する動作状態確認手段が実現されている。また、第１の実施形態では、携帯端末装置２００の処理制御部２０３により、各機能を実行又は予約実行するための機能実行情報の入力を受付ける入力受付手段が実現されている。さらに、第１の実施形態では、携帯端末装置２００の処理制御部２０３により、画像形成装置１００に機能実行を指示する指示手段が実現されている。
【００４８】
（Ａ−２）第１の実施形態の動作
次に、以上のような構成を有する第１の実施形態の動作を説明する。
【００４９】
図３は、画像形成装置１００を携帯端末装置２００から操作する際の動作について示したフローチャートである。
【００５０】
まず、携帯端末装置２００において、ユーザの操作により、画像形成装置１００を操作するための処理制御部２０３が起動されたものとする。
【００５１】
処理制御部２０３は起動すると、まず、データ送受信部２０１を経由して画像形成装置１００（処理制御部１０３）にアクセスし、画像形成装置１００の使用状況に関する情報（例えば、現在使用可能な機能のリスト）を要求する。そして、画像形成装置１００の処理制御部１０３は、携帯端末装置２００（処理制御部２０３）の要求に応じて、現在の各機能（コピー、スキャン、プリント、ＦＡＸの各機能）の実行状態を確認し、現在実行可能な機能を返答する（Ｓ１０１）。このとき、画像形成装置１００の処理制御部１０３は、すべての機能コピー、スキャン、プリント、ＦＡＸの各機能）が使用可能である場合や、一部の機能だけ使用可能であるなどの結果を返答することになる。
【００５２】
次に、携帯端末装置２００の処理制御部２０３は、予約実行設定保持部３０１の設定値を確認し（Ｓ１０３）、予約実行が可能に設定されている場合には後述するステップＳ１０７に移行し、予約実行が不可に設定されている場合には後述するステップＳ１０５に移行する。
【００５３】
予約実行が不可の場合、携帯端末装置２００の処理制御部２０３は、操作表示部２０５に表示する機能操作画面において、使用不可の機能（画像形成装置１００から使用不可と通知された機能）に対応する機能ボタンの状態を変更（操作不可状態に変更）して操作不可とし（Ｓ１０５）、後述するステップＳ１０７に移行する。
【００５４】
ステップＳ１０７に移行すると、処理制御部２０３は、操作可能状態となっているいずれかの機能ボタンの押下を受付け、さらに、押下された機能ボタンに対応する機能の機能実行情報の入力を受付ける。そして、処理制御部２０３は、当該機能の実行を画像形成装置１００に指示する。その際、処理制御部２０３は、データ送受信部２０１を介して、画像形成装置１００（処理制御部１０３）に、実行する機能の種別とともに、入力された機能実行情報を送信する。
【００５５】
次に、画像形成装置１００の処理制御部１０３は、携帯端末装置２００（処理制御部２０３）からの機能実行要求を受けて、その要求に係る機能が実行可能かを判断する（Ｓ１０９）。そして、画像形成装置１００の処理制御部１０３は、携帯端末装置２００からの要求に係る機能が実行可能である場合（当該機能実行を阻害する他の実行中の処理がない場合）には、携帯端末装置２００から要求された機能の実行を制御し、処理を終了する。
【００５６】
一方、携帯端末装置２００からの機能実行要求が実行不可の場合、画像形成装置１００の処理制御部１０３は、携帯端末装置２００（処理制御部２０３）から実行要求された機能が実行可能となるまで待機する（Ｓ１１１）。この間、画像形成装置１００の処理制御部１０３は、携帯端末装置２００（処理制御部２０３）に、実行不可（予約実行に移行した旨）を通知し、携帯端末装置２００（処理制御部２０３）で操作表示部２０５に予約実行のため待機中である旨を表示（例えば、「使用中のためしばらくお待ちください」等のメッセージを表示）するようにしてもよい。
【００５７】
そして、携帯端末装置２００（処理制御部２０３）から実行要求された機能が実行可能となると、画像形成装置１００（処理制御部１０３）は、データ送受信部１０７を介して、携帯端末装置２００（処理制御部２０３）に、実行要求された機能が実行可能になった旨の通知（以下、「実行可能通知」と呼ぶ）を送信する（Ｓ１１３）。
【００５８】
画像形成装置１００（処理制御部１０３）から携帯端末装置２００（処理制御部２０３）に、実行可能通知を送信する具体的手段については限定されないものであるが、例えば、所定の形式の電文（パケット）により直接送信してもよいし、所定のメッセージアプリケーション（インスタントメッセージのアプリケーション）を用いたメッセージ送信（図示しないメッセージサーバを経由したメッセージ送信）としてもよいし、電子メール送信（図示しないメールサーバを経由した電子メール送信）とするようにしてもよい。なお、画像形成装置１００（処理制御部１０３）が、携帯端末装置２００（処理制御部２０３）に実行可能通知を送信する際の識別子を保持するための具体的手段については限定されないものである。例えば、画像形成装置１００（処理制御部１０３）が、ログインユーザごと（携帯端末装置２００ごと）に、実行可能通知の送信先を保持するようにしてもよい。また、上述のステップＳ１０７で、携帯端末装置２００（処理制御部２０３）は、画像形成装置１００（処理制御部１０３）に機能実行情報とともに、実行可能通知の送信先の識別子（例えば、インスタントメッセージのユーザＩＤ、電子メールアドレス、ＩＰアドレス等）を通知しておくようにしてもよい。また、携帯端末装置２００（処理制御部２０３）では、インスタントメッセージや電子メールを受信した場合、対応するアプリケーションの画面（機能操作画面とは異なるアプリケーションの画面）で当該通知に係るメッセージ又は電子メールを表示するようにしてもよい。以上のように、画像形成装置１００（処理制御部１０３）は、種々の手段を用いて、実行可能通知を送信することができる。なお、画像形成装置１００（処理制御部１０３）は、複数の手段で同時に実行可能通知を送信するようにしてもよい。これにより、携帯端末装置２００のユーザにより確実に実行可能通知を認識させることができる。
【００５９】
ここでは、画像形成装置１００（処理制御部１０３）は、少なくとも、所定の形式の電文（パケット）を用いて、実行可能通知を送信したものとして説明する。
【００６０】
実行可能通知を受信すると、携帯端末装置２００（処理制御部２０３）は、実行要求（実行予約）した機能の実行が可能になったことを、操作表示部２０５に表示し、ユーザの確認操作を受け付ける。そして、携帯端末装置２００（処理制御部２０３）はユーザの確認操作を受け付けると、画像形成装置１００の処理制御部１０３に実行要求（実行予約）した機能の実行指示を送信する。そして、画像形成装置１００の処理制御部１０３は、当初実行要求を受け付けた機能の実行を制御し（Ｓ１１５）、処理を終了する。
【００６１】
ステップＳ１１５において、処理制御部２０３が、実行要求（実行予約）した機能の実行が可能になったことをユーザに通知すると共に、ユーザから実行要求（実行予約）した機能の実行確認を受け付ける操作画面（以下、「予約実行確認画面」と呼ぶ）は、例えば、図５のような操作画面（ポップアップ画面）とするようにしてもよい。
【００６２】
図５に示す予約実行確認画面では、ユーザに実行要求（実行予約）した機能の実行が可能になったことをユーザに通知するメッセージ（図５では、「予約していた機能の実行が可能となりました。実行しますか？」というメッセージ）と、機能実行を受け付けるボタンＢ２０１と、機能実行のキャンセルを受け付けるボタンＢ２０２が配置されている。
【００６３】
処理制御部２０３は、予約実行確認画面で実行を受け付けるボタンＢ２０１が押下された場合、画像形成装置１００の処理制御部１０３に実行要求（実行予約）した機能の実行指示を送信する。そして、画像形成装置１００の処理制御部１０３は、実行指示を受信すると、実行要求（実行予約）を受け付けた機能の実行を制御する。
【００６４】
また、処理制御部２０３は、予約実行確認画面で実行のキャンセルを受け付けるボタンＢ２０１が押下された場合、画像形成装置１００の処理制御部１０３に実行要求（実行予約）した機能の実行キャンセルを送信する。そして、画像形成装置１００の処理制御部１０３は、実行キャンセルを受信すると、実行要求（実行予約）を受け付けた機能の実行をキャンセル（機能実行情報等を破棄）する。
【００６５】
（Ａ−３）第１の実施形態の効果
第１の実施形態によれば、以下のような効果を奏することができる。
【００６６】
第１の実施形態では、携帯端末装置２００から画像形成装置１００の機能を実行しようとした場合、使用できない機能は、携帯端末装置２００上で機能ボタンの表示状態を変更することで、携帯端末装置２００の使用者に通知することができる。
【００６７】
また、第１の実施形態では、画像形成装置１００で使用できない機能がある状態でも、携帯端末装置２００側では、その機能の機能実行情報の操作受付の受付け（予約実行の受付け）を行うことができる。そして、その後、画像形成装置１００の使用状態が変わり、実行しようとした機能が使えるようになった時点で、携帯端末装置２００の使用者に、機能が実行できることを通知することで、簡便な操作で画像形成装置１００の機能を予約実行することができる。
【００６８】
（Ｂ）第２の実施形態
以下、本発明による端末装置及び情報処理プログラム、並びに情報処理装置の第２の実施形態を、図面を参照しながら詳述する。以下では、本発明の端末装置を携帯端末装置に適用し、本発明の情報処理装置を画像形成装置に適用した例について説明する。
【００６９】
（Ｂ−１）第２の実施形態の構成
図６は、第２の実施形態の画像形成装置１００Ａ及び携帯端末装置２００Ａの機能的構成について示したブロック図であり、上述の図１と同一部分又は対応部分には、同一符号又は対応符号を付している。以下では、第２の実施形態について第１の実施形態との差異を説明する。
【００７０】
画像形成装置１００Ａでは、処理制御部１０３が処理制御部１０３Ａに置き換わっている点で第１の実施形態と異なっている。また、画像形成装置１００Ａでは、近距離データ通信部１１０が追加されている点で第１の実施形態と異なっている。さらに、携帯端末装置２００Ａでは、処理制御部２０３が処理制御部２０３Ａに置き換わっている点で第１の実施形態と異なっている。さらにまた、携帯端末装置２００Ａでは、近距離データ通信部２０９が追加されている点で第１の実施形態と異なっている。
【００７１】
第２の実施形態では、画像形成装置１００Ａと携帯端末装置２００Ａとの間の通信インタフェースとして、近距離データ通信部１１０、２０９が追加されている。近距離データ通信部１１０、２０９としては、例えば、ＮＦＣ（Ｎｅａｒ  Ｆｉｅｌｄ  Ｃｏｍｍｕｎｉｃａｔｉｏｎ）に対応する無線通信インタフェースを適用することができる。これにより、画像形成装置１００Ａの近距離データ通信部１１０では、携帯端末装置２００Ａ（近距離データ通信部２０９）が所定範囲内に近づけられたことを認識して通信を開始して種々の処理開始の契機とすること等が可能となる。
【００７２】
第２の実施形態の処理制御部２０３Ａの内部構成について図７を用いて説明する。
【００７３】
処理制御部２０３Ａでは、機能実行情報保持部３０２が追加されている点で第１の実施形態と異なっている。第２の実施形態において、処理制御部２０３Ａは、現在使用できない機能の操作受付けした際の機能実行情報（実行予約に係る機能実行情報）を、一端機能実行情報保持部３０２に保持し、その後当該機能が実行可能となった後に、携帯端末装置２００が画像形成装置１００に近づけられると、近距離データ通信部２０９、１１０を介して画像形成装置１００Ａ（処理制御部１０３Ａ）に送信する。
【００７４】
（Ｂ−２）第２の実施形態の動作
次に、以上のような構成を有する第２の実施形態における画像形成装置１００Ａ及び携帯端末装置２００Ａの動作について、図８のフローチャートを用いて説明する。図８では、上述の図３のフローチャートと同様の処理のステップについては同一符号（ステップ番号）を付している。
【００７５】
第２の実施形態では、画像形成装置１００Ａの処理制御部１０３Ａで、携帯端末装置２００Ａからの機能実行要求が実行不可と判断された場合の処理（ステップＳ１０９の判断で「いいえ」となった場合の処理）が異なっている。
【００７６】
ステップＳ１０９において、画像形成装置１００Ａの処理制御部１０３Ａが、携帯端末装置２００Ａから要求された機能の実行を不可と判断した場合、携帯端末装置２００Ａ（処理制御部２０３Ａ）に、実行不可（予約実行に移行した旨）を通知する。そして、携帯端末装置２００Ａの処理制御部２０３Ａは、機能実行情報保持部３０２に、実行要求した機能の機能実行情報を機能実行情報保持部３０２に保持（記憶）させる（Ｓ１２１）。このとき、画像形成装置１００Ａの処理制御部１０３Ａでは、携帯端末装置２００Ａから受信した機能実行要求（機能実行情報等）を破棄するようにしてもよい。また、このとき、携帯端末装置２００Ａの処理制御部２０３Ａは、操作表示部２０５に、機能実行ができなかった旨（例えば、「使用中のためしばらくお待ちください」等のメッセージ）を表示出力するようにしてもよい。
【００７７】
そして、その後、画像形成装置１００Ａで実行要求された機能の実行が可能となった後（例えば、いずれの機能も実行しておらず待機状態となった後）、携帯端末装置２００Ａのユーザが、携帯端末装置２００Ａを画像形成装置１００Ａ（近距離データ通信部１１０）に近づけることで、携帯端末装置２００の近距離データ通信部２０９と、画像形成装置１００の近距離データ通信部１１０との間でデータ通信が開始される。そして、携帯端末装置２００Ａの処理制御部２０３Ａは、近距離データ通信部２０９を介して、機能実行情報保持部３０２に保持している機能実行情報に基づく機能実行を、画像形成装置１００Ａ（処理制御部１０３Ａ）に要求する。そして、画像形成装置１００Ａ（処理制御部１０３Ａ）は、携帯端末装置２００Ａからの要求に従って、機能実行の処理を行う（Ｓ１２３）。
【００７８】
なお、画像形成装置１００Ａで実行要求された機能の実行が可能となったことを、携帯端末装置２００Ａのユーザが知る手段については限定されないものである。例えば、携帯端末装置２００Ａのユーザが、目視（例えば、図示しないランプやタッチパネルディスプレイの表示を目視）することで、使用中でないことを確認するようにしてもよい。また、例えば、画像形成装置１００Ａが、第１の実施形態と同様の手段により実行可能通知を携帯端末装置２００Ａに送信するようにしてもよい。
【００７９】
また、ステップＳ１２３において、画像形成装置１００Ａ（処理制御部１０３Ａ）で、携帯端末装置２００Ａから再度実行要求された機能が実行できない場合には、再度上述のステップＳ１０７から動作するようにしてもよい。さらに、画像形成装置１００Ａ（処理制御部１０３Ａ）は、ステップＳ１２１の処理の後、実行予約した携帯端末装置２００Ａからの機能実行要求が供給されるまで、他の機能実行を受付けずに待機し、実行予約した携帯端末装置２００Ａからの機能実行要求を優先処理するようにしてもよい。
【００８０】
（Ｂ−３）第２の実施形態の効果
第２の実施形態によれば、第１の実施形態の効果に加えて以下のような効果を奏することができる。
【００８１】
第２の実施形態では、画像形成装置１００Ａで使用できない機能がある状態でも、携帯端末装置２００Ａでは、使用できない機能の機能実行情報の受付けを行い、その機能の予約実行を行うことが可能である。その際、携帯端末装置２００Ａでは、機能実行情報を機能実行情報保持部３０２に保存し、画像形成装置１００Ａの使用状態が変わり、携帯端末装置２００Ａを画像形成装置１００Ａに近づけという簡便な操作だけで、画像形成装置１００Ａに機能の実行をさせることができる。
【００８２】
（Ｃ）第３の実施形態
以下、本発明による端末装置及び情報処理プログラム、並びに情報処理装置の第３の実施形態を、図面を参照しながら詳述する。以下では、本発明の端末装置を携帯端末装置に適用し、本発明の情報処理装置を画像形成装置に適用した例について説明する。
【００８３】
（Ｃ−１）第３の実施形態の構成
第１及び第２の実施形態の画像形成装置１００、１００Ａでは、携帯端末装置２００、２００Ａのユーザが、別ユーザにより使用中の画像形成装置１００、１００Ａを使用する際、画像形成装置１００、１００Ａのリソースの競合により特定の機能を使用できない場合、先行して使用しているユーザの使用状況を把握できないという問題があった。そこで、第３の実施形態の画像形成装置１００Ｂでは、自装置で使用中の機能の情報や操作表示部１０５で表示中の操作画面（ユーザからの各機能の実行を受け付けるための操作画面）の画像データを保持して携帯端末装置２００Ｂに送信可能としている。また、第３の実施形態の携帯端末装置２００Ｂでは、操作表示部２０５（機能操作画面）に、画像形成装置１００Ｂから取得した情報や画像の配置（表示）を可能とする。
【００８４】
図９は、第３の実施形態の画像形成装置１００Ｂ及び携帯端末装置２００Ｂの機能的構成について示したブロック図であり、上述の図１と同一部分又は対応部分には、同一符号又は対応符号を付している。以下では、第３の実施形態について第１の実施形態との差異を説明する。
【００８５】
まず、第３の実施形態における画像形成装置１００Ｂの構成について説明する。
【００８６】
第３の実施形態の画像形成装置１００Ｂでは、処理制御部１０３が処理制御部１０３Ｂに置き換わり、画面表示保存部１１１が追加されている点で第１の実施形態と異なっている。
【００８７】
第３の実施形態の処理制御部１０３Ｂは、表示装置としての操作表示部１０５で表示中の操作画面（ユーザからの各機能の実行を受け付けるための操作画面）の画像（以下、「画像形成装置表示画像」と呼ぶ）のデータを取得して、画面表示保存部１１１に保存（保持）させる。処理制御部１０３Ｂが、画面表示保存部１１１に保存する画像形成装置表示画像のデータを更新（操作表示部１０５で表示中の画像に更新）するタイミングについては限定されないものであるが、例えば、定期的に更新するようにしてもよいし、操作表示部１０５で表示中の操作画面に変化があったタイミングで更新するようにしてもよい。
【００８８】
処理制御部１０３Ｂは、携帯端末装置２００Ｂの要求に応じて、画面表示保存部１１１に保存している画像形成装置表示画像のデータを送信する。
【００８９】
また、第３の実施形態の処理制御部１０３Ｂは、携帯端末装置２００Ｂの要求に応じて、自装置における現在の各機能（コピー、スキャン、プリント、ＦＡＸの各機能）の実行状態を確認し、使用中の機能（実行中の機能）を示す情報（以下、「使用中機能情報」と呼ぶ）を携帯端末装置２００Ｂに送信する。
【００９０】
画面表示保存部１１１は、処理制御部１０３Ｂから供給された画像形成装置表示画像のデータを保存（保持）するものである。
【００９１】
次に、第３の実施形態における携帯端末装置２００Ｂの構成について説明する。
また、携帯端末装置２００Ｂでは、処理制御部２０３が処理制御部２０３Ｂに置き換わっている点で第１の実施形態と異なっている。
【００９２】
第３の実施形態の処理制御部２０３Ｂでは、操作表示部２０５に表示する機能操作画面の構成が異なる。
【００９３】
第３の実施形態の処理制御部２０３Ｂは、画像形成装置１００Ｂに対して使用中機能情報を要求して取得し、機能操作画面上に表示（配置）する。また、処理制御部２０３Ｂは、画像形成装置１００Ｂに対して画像形成装置表示画像を要求して取得し、機能操作画面上に表示（配置）する。
【００９４】
図１０は、第３の実施形態の処理制御部２０３Ｂが表示する機能操作画面の構成例について示した説明図である。図１０（ａ）は、画像形成装置１００Ｂが使用されていない状態（すべての機能の使用が可能な状態）である場合に処理制御部２０３Ｂが表示する機能操作画面について示した説明図である。図１０（ｂ）は、画像形成装置１００Ｂで一部の機能を他のユーザが使用している場合に処理制御部２０３Ｂが表示する機能操作画面について示した説明図である。
【００９５】
図１０に示すように、第３の実施形態の機能操作画面では、コピー機能に対応する機能ボタンＢ２０１、スキャン機能に対応する機能ボタンＢ２０２、プリント機能に対応する機能ボタンＢ２０３、及びＦＡＸ機能に対応する機能ボタンＢ２０４が配置されている。第３の実施形態の機能操作画面に配置されている機能ボタンＢ２０１〜Ｂ２０４は、第１の実施形態の機能ボタンＢ１０１〜Ｂ１０４と同様の機能（処理）に対応したボタンである。
【００９６】
図１０（ａ）、図１０（ｂ）に示すように、第３の実施形態の機能操作画面に配置された機能ボタンＢ２０１〜Ｂ２０４は、第１の実施形態のＢ１０１〜Ｂ１０４と同様に、画像形成装置１００Ｂで使用可能な機能に対応する機能ボタンについては、操作可能状態（白色の背景に黒色で機能名の文字が表示されて操作（押下）可能な状態）となり、画像形成装置１００Ｂで使用不可な機能に対応する機能ボタンについては、操作不可状態（黒色の背景に白色で機能名の文字が表示されて操作（押下）不可な状態）となるものとする。図１０（ａ）に示すように、画像形成装置１００Ｂが使用されていない状態（すべての機能の使用が可能な状態）の場合、すべての機能に対応するボタンＢ２０１〜Ｂ２０４が操作可能状態となっている。また、図１０（ｂ）に示すように、画像形成装置１００Ｂでコピー機能が使用中である場合には、プリント機能のみが使用可能であるため、プリント機能に対応する機能ボタンＢ２０３だけが操作可能状態であり、その他の機能ボタンＢ２０１、Ｂ２０２、Ｂ２０４が操作不可状態となっている。
【００９７】
また、第３の実施形態の機能操作画面では、使用中機能情報を示すメッセージ（文字列）が表示されるフィールドＦ２０１が配置されている。図１０（ａ）に示すように、画像形成装置１００Ｂが使用されていない状態（すべての機能の使用が可能な状態）の場合、フィールドＦ２０１には、画像形成装置１００Ｂが使用されていない状態を示すメッセージ（図１０（ａ）では、「装置は未使用です」というメッセージ）が表示される。また、図１０（ｂ）に示すように、画像形成装置１００Ｂで一部の機能（図１０（ｂ）の例では、コピー機能）を他のユーザが使用している場合、フィールドＦ２０１には、現在画像形成装置１００Ｂで使用されている機能を示すメッセージ（図１０（ｂ）の例では、「コピー使用中です」というメッセージ）が表示される。
【００９８】
さらに、第３の実施形態の機能操作画面では、図１０（ｂ）に示すように、画像形成装置表示画像が表示されるフィールドＦ２０２が配置されている。
【００９９】
例えば、画像形成装置１００Ｂの操作表示部２０５に図１１に示すようなコピー機能の操作画面が表示されている場合、図１１に示す画像が、画像形成装置表示画像として画像形成装置１００Ｂの処理制御部１０３Ｂにより取得され、画面表示保存部１１１に保存される。そして、画像形成装置１００Ｂの処理制御部１０３Ｂは、通信により画面表示保存部１１１に保存されている画像形成装置表示画像のデータを、携帯端末装置２００Ｂの処理制御部２０３Ｂに送信する。そして、携帯端末装置２００Ｂの処理制御部２０３Ｂの制御により、機能操作画面（操作表示部２０５）のフィールドＦ２０２に、当該画像形成装置表示画像が表示されることになる。
【０１００】
第３の実施形態の機能操作画面において、画像形成装置表示画像が表示されるタイミングや更新されるタイミングについては限定されないものである。携帯端末装置２００Ｂの処理制御部２０３Ｂは、操作表示部２０５に機能操作画面を表示中に、常にフィールドＦ２０２に画像形成装置表示画像を表示するようにしてもよいし、画像形成装置１００Ｂでいずれかの機能が使用中である場合にのみフィールドＦ２０２に画像形成装置表示画像を表示するようにしてもよい。また、携帯端末装置２００Ｂの処理制御部２０３Ｂが、機能操作画面（操作表示部２０５）のフィールドＦ２０２に表示する画像形成装置表示画像を更新するタイミングも限定されないものである。例えば、携帯端末装置２００Ｂの処理制御部２０３Ｂは、定期の間隔で、画像形成装置１００Ｂに画像形成装置表示画像の送信を要求して受信し、機能操作画面（操作表示部２０５）のフィールドＦ２０２に表示する画像形成装置表示画像を更新するようにしてもよい。
【０１０１】
ところで、画像形成装置１００Ｂ（処理制御部１０３Ｂ）において、コピー機能の実行に際して、ユーザにログイン認証を必要とする場合、例えば、図１２に示すような操作画面によりユーザＩＤとパスワードの入力を要求する。図１２では、ユーザＩＤの入力を受け付けるフィールドＦ３０１と、パスワードの入力を受け付けるフィールドＦ３０２が配置されている。画像形成装置１００Ｂ（処理制御部１０３Ｂ）が、図１２に示すようなユーザＩＤやパスワードが表示されたままの操作画面の画像を画像形成装置表示画像として通信中の携帯端末装置２００Ｂ（処理制御部２０３Ｂ）に送信してしまうと、携帯端末装置２００Ｂの操作表示部２０５にユーザＩＤやパスワードが表示されてしまうことになり、セキュリティ上問題となる。そこで、画像形成装置１００Ｂ（処理制御部１０３Ｂ）は、ユーザＩＤやパスワード等のセキュリティに関する情報（以下、「セキュリティ情報」と呼ぶ）が操作画面（操作表示部１０５）に表示されている場合、当該セキュリティ情報が隠蔽された状態の画像を画像形成装置表示画像として取得し、携帯端末装置２００Ｂに送信する。画像形成装置表示画像上で、セキュリティ情報をマスクする手法については限定されないものであるが、例えば、図１３に示すようにセキュリティ情報が表示された部分（フィールド）の画像を所定の色（図１３では黒）で塗りつぶすようにしてもよいし、セキュリティ情報に対応する文字（数字を含む）の画像を「＊」や「＃」等の別の文字の画像に置き換えるようにしてもよい。
【０１０２】
図１３に示すフィールドＦ２０２に表示された画像形成装置表示画像では、画像形成装置１００Ｂの操作画面（操作表示部１０５）上でユーザＩＤが表示されていたフィールドＦ３０１やパスワードが表示されていたフィールドＦ３０２に対応する部分（領域）が、黒く塗りつぶされた画像Ｇ２０１、Ｇ２０２となっている。
【０１０３】
以上のように、第３の実施形態の画像形成装置１００Ｂでは、動作状態確認手段としての処理制御部１０３Ｂにより、画像形成装置１００Ｂの各機能の使用状態に基づく使用中機能情報を生成し、携帯端末装置２００Ｂに送信する構成が実現されている。また、第３の実施形態の画像形成装置１００Ｂでは、処理制御部１０３Ｂ及び画面表示保存部１１１により、画像形成装置表示画像を保持する画像データ保持手段と、保持した画像形成装置表示画像の画像データを携帯端末装置２００Ｂに送信する画像データ送信手段が実現されている。さらに、第３の実施形態の携帯端末装置２００Ｂでは、動作確認手段としての処理制御部２０３Ｂにより、画像形成装置１００Ｂと通信して使用中機能情報を取得する構成が実現されている。さらにまた、第３の実施形態の携帯端末装置２００Ｂでは、動作確認手段としての処理制御部２０３Ｂにより、画像形成装置１００Ｂと通信して画像形成装置表示画像を取得する画像データ取得手段が実現されている。また、第３の実施形態の携帯端末装置２００Ｂでは、入力受付手段としての処理制御部２０３Ｂにより、機能操作画面に画像形成装置表示画像や使用中機能情報を配置（表示）する構成が実現されている。
【０１０４】
なお、第１及び第２の実施形態においても第３の実施形態と同様に、画像形成装置１００、１００Ａ（画像形成処理部１０１、１０１Ａ）が、使用中機能情報や画像形成装置表示画像を保持して携帯端末装置２００、２００Ａに送信するように構成してもよい。また、第１及び第２の実施形態においても第３の実施形態と同様に、携帯端末装置２００、２００Ａ（処理制御部２０３、２０３Ａ）が、画像形成装置１００、１００Ａから使用中機能情報や画像形成装置表示画像を取得して機能操作画面上に配置（表示）するように構成してもよい。
【０１０５】
（Ｃ−２）第３の実施形態の動作
次に、以上のような構成を有する第３の実施形態における画像形成装置１００Ｂ及び携帯端末装置２００Ｂの動作について、図１４のフローチャートを用いて説明する。
【０１０６】
図１４のフローチャートでは、画像形成装置１００Ｂにおいて、画像形成装置表示画像及び使用中機能情報を表示する動作や、各機能ボタンの表示を変更する動作を中心に説明しているが、第１及び第２の実施形態と同様に、画像形成装置１００Ｂの各機能の予約実行を行う動作を追加するようにしてもよい。
【０１０７】
まず、携帯端末装置２００Ｂにおいて、ユーザの操作により、画像形成装置１００Ｂを操作するための処理制御部２０３Ｂが起動され、操作表示部２０５に機能操作画面が表示されたものとする。
【０１０８】
処理制御部２０３Ｂは起動すると、データ送受信部２０１を経由して画像形成装置１００Ｂ（処理制御部１０３Ｂ）にアクセスし、画像形成装置１００Ｂで使用可能な機能に関する情報（例えば、現在使用可能な機能のリスト）を要求する。そして、画像形成装置１００Ｂの処理制御部１０３Ｂは、携帯端末装置２００Ｂ（処理制御部２０３Ｂ）の要求に応じて、現在の各機能（コピー、スキャン、プリント、ＦＡＸの各機能）の実行状態を確認し、現在実行可能な機能を返答する（Ｓ２０１）。このとき、画像形成装置１００Ｂの処理制御部１０３Ｂは、すべての機能コピー、スキャン、プリント、ＦＡＸの各機能）が使用可能である場合や、一部の機能だけ使用可能であるなどの結果を返答することになる。
【０１０９】
次に、携帯端末装置２００Ｂ（処理制御部２０３Ｂ）は、操作表示部２０５に表示させた機能操作画面上で、画像形成装置１００Ｂで現在実行可能な機能（画像形成装置１００Ｂの使用状況）に応じて、機能操作画面上の機能ボタンのうち、使用できない機能の機能ボタンの状態を変更（操作不可状態に変更）する（Ｓ２０５）。
【０１１０】
次に、携帯端末装置２００Ｂ（処理制御部２０３Ｂ）は、データ送受信部２０１を経由して画像形成装置１００Ｂ（処理制御部１０３Ｂ）にアクセスし、使用中機能情報を要求する。そして、画像形成装置１００Ｂの処理制御部１０３Ｂは、携帯端末装置２００Ｂ（処理制御部２０３Ｂ）の要求に応じて、現在の各機能（コピー、スキャン、プリント、ＦＡＸの各機能）の実行状態を確認して、使用中機能情報を生成し、データ送受信部１０７を介して返答する（Ｓ２０７）。
【０１１１】
次に、携帯端末装置２００Ｂ（処理制御部２０３Ｂ）は、機能操作画面上のフィールドＦ２０１に、画像形成装置１００Ｂから取得した使用中機能情報を表示（ステップＳ２０７で取得した使用中機能情報に基づくメッセージを表示）する（Ｓ２０９）。
【０１１２】
次に、携帯端末装置２００Ｂ（処理制御部２０３Ｂ）は、データ送受信部２０１を経由して画像形成装置１００Ｂ（処理制御部１０３Ｂ）にアクセスし、画像形成装置表示画像（画像形成装置１００Ｂの操作表示部１０５で表示された画像）を要求する。そして、画像形成装置１００Ｂの処理制御部１０３Ｂは、携帯端末装置２００Ｂ（処理制御部２０３Ｂ）の要求に応じて、画面表示保存部１１１に保存されている画像形成装置表示画像の画像データを取得して送信する。これにより、携帯端末装置２００Ｂ（処理制御部２０３Ｂ）は、画像形成装置１００Ｂの処理制御部１０３Ｂから画像形成装置表示画像を取得する（Ｓ２１１）。なお、画像形成装置１００Ｂでは、処理制御部２０３Ｂにより操作表示部１０５に表示された操作画面の画像（画像形成装置表示画像）の画像データが画面表示保存部１１１に保存されている。
【０１１３】
次に、携帯端末装置２００Ｂ（処理制御部２０３Ｂ）は、画像形成装置１００Ｂから取得した画像形成装置表示画像を、機能操作画面上のフィールドＦ２０２に表示させる（Ｓ２１３）。
【０１１４】
次に、携帯端末装置２００Ｂ（処理制御部２０３Ｂ）は、ユーザの操作が終了しているか否かを判断し（Ｓ２１５）、操作が終了していなければ上述のステップＳ２０１に戻って動作し、操作が終了していれば本フローチャートの処理を終了する。
【０１１５】
（Ｃ−３）第３の実施形態の効果
第３の実施形態によれば、第１の実施形態の効果に加えて以下のような効果を奏することができる。
【０１１６】
第３の実施形態の画像形成装置１００Ｂ（処理制御部１０３Ｂ）では、携帯端末装置２００Ｂの要求に応じて、使用中機能情報を送信する。そして、携帯端末装置２００Ｂ（処理制御部２０３Ｂ）は、画像形成装置１００Ｂ（処理制御部１０３Ｂ）から取得した使用中機能情報を操作表示部２０５（機能操作画面）に表示する。これにより、第３の実施形態では、画像形成装置１００Ｂでいずれかの機能が使用中（画像形成装置１００Ｂの操作表示部１０５を直接操作して使用中）の場合でも、携帯端末装置２００Ｂのユーザにその使用状況を正確に認識させることができる。
【０１１７】
また、第３の実施形態の画像形成装置１００Ｂ（処理制御部１０３Ｂ）では、操作表示部１０５で表示する画像を画像形成装置表示画像として画面表示保存部１１１に保存し、携帯端末装置２００Ｂの要求に応じて、画面表示保存部１１１に保存している画像形成装置表示画像のデータを送信する。そして、携帯端末装置２００Ｂ（処理制御部２０３Ｂ）は、画像形成装置１００Ｂ（処理制御部１０３Ｂ）から取得した画像形成装置表示画像を操作表示部２０５（機能操作画面上のフィールドＦ２０２）に表示する。これにより、第３の実施形態では、画像形成装置１００Ｂから離れた位置でも携帯端末装置２００Ｂのユーザに、別のユーザによる画像形成装置１００Ｂの操作状況（操作表示部１０５を操作している状況）の詳細を認識させることができる。
【０１１８】
（Ｄ）他の実施形態
本発明は、上記の各実施形態に限定されるものではなく、以下に例示するような変形実施形態も挙げることができる。
【０１１９】
（Ｄ−１）上記の各実施形態では本発明の情報処理装置を複合機としての画像形成装置に適用した例について説明したが、単機能のプリンタ、ＦＡＸ、複写機や、ＦＡＸ機能及びスキャン機能に対応したスキャナ装置等の他の装置に適用するようにしてもよい。
【０１２０】
また、上記の各実施形態では、本発明の端末装置を携帯端末装置に適用した例について説明したが、スマートホン、ノートＰＣ（モバイルＰＣ）等の他の装置に適用するようにしてもよい。
【符号の説明】
【０１２１】
１００…画像形成装置、１０１…画像形成処理部、１０３…処理制御部、１０５…操作表示部、１０７…データ送受信部、１０８…スキャナ部、１０９…ＦＡＸ部、２００…携帯端末装置、２０１…データ送受信部、２０３…処理制御部、３０１…予約実行設定保持部、２０５…操作表示部、５００…通信回線。
【図１】
0006772083.tif 000002
【図２】
0006772083.tif 000003
【図３】
0006772083.tif 000004
【図４】
0006772083.tif 000005
【図５】
0006772083.tif 000006
【図６】
0006772083.tif 000007
【図７】
0006772083.tif 000008
【図８】
0006772083.tif 000009
【図９】
0006772083.tif 000010
【図１０】
0006772083.tif 000011
【図１１】
0006772083.tif 000012
【図１２】
0006772083.tif 000013
【図１３】
0006772083.tif 000014
【図１４】
0006772083.tif 000015